(57)【要約】【課題】  構成の簡略化が可能であり、しかも液晶パネルにおける表示領域以外の領域での表示を加えることがないことによりコスト上昇も抑えることが可能な構成を備えた表示装置提供する。【解決手段】  複数の液晶パネル２０２を並置して備えている表示装置２００において、前記複数の液晶パネル２０２は、個々にあるいは隣り合うものと対応させて前後方向に移動可能に設けられていることを特徴としている。【選択図】  図４
2006180941.tif 000002
【特許請求の範囲】
【請求項１】
複数の液晶パネルを並置して備えている表示装置において、
前記複数の液晶パネルは、個々にあるいは隣り合うものと対応させて前後方向に移動可能に設けられていることを特徴とする表示装置。
【請求項２】
請求項１記載の表示装置において、
前記液晶パネルは、並置方向中央に位置する液晶パネルが固定若しくは前後方向に往復動可能に設けられ、該中央に位置する液晶パネルと隣接する液晶パネルは往復動可能に設けられていることを特徴とする表示装置。
【請求項３】
請求項１または２記載の表示装置において、
前記液晶パネルは、隣り合うもの同士の往復動作量が変更可能であることを特徴とする表示装置。
【請求項４】
請求項１乃至３のうちの一つに記載の表示装置を用いることを特徴とする遊技機。
【発明の詳細な説明】
【技術分野】
【０００１】
本発明は、表示装置およびこれを用いた遊技機に関し、さらに詳しくは、液晶パネルを用いた表示構造に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
一方、遊技領域には、複数の図柄や記号を変動表示可能な表示部が設けられており、図柄や記号が一定の組み合わせに揃った場合あるいは一定の条件を満たした場合に遊技盤面に設けてある大入賞口を開放して多くの賞球を払い出すようにした構成がある。
表示内容の抽選は、例えば、始動入賞口とは別に設けてあるパスゲート部と称される部材に設けられた通過センサの位置にパチンコ球が通過するのを検知することによっても開始されるようになっている。
【０００４】
表示部の構成の一つに液晶を用いた構成がある。
液晶パネルは、一枚のパネル内で抽選対象となる複数の数字あるいは図柄の変化状態あるいは遊技に関係する内容の動画などを表示することができるが、２次元表示が主体であるために視覚的な印象が単純であることは否めない。
【０００５】
そこで、表示内容を立体的に視認できるようにした構成が提案されている（例えば、特許文献１）。
上記特許文献１には、レンティキュラレンズを用いて裸眼による立体視ができる構成が開示されている。
一方、表示内容を立体視させるための構成としては、一枚の液晶パネル内で左右各目における視差を生じさせるための画像を生成する構成が提案されている（例えば、特許文献２）。
【０００６】
【特許文献１】特開平７−３１７２９号公報（段落「０００３」欄）
【特許文献２】特開２００４−７３３４０号公報（段落「００７４」欄）
【発明の開示】
【発明が解決しようとする課題】
【０００７】
しかし、特許文献１に開示された構成では、レンティキュラレンズの位置合わせが難しく組み立て作業性が悪いという問題がある。
そこで、特許文献２では、このような問題を解消する構成が提案されているが、右目および左目用の表示画像に奥行きがあるような印象を与える基準部となる補助表示部を右目および左目用の画像表示領域表示領域の外周に設けていることから、液晶表示パネルのサイズが大きくなり、比較的高価な液晶を使用しなければならないという問題がある。
【０００８】
本発明の目的は、上記従来の表示装置における問題に鑑み、構成の簡略化が可能であり、しかも液晶パネルにおける表示領域以外の領域での表示を加えることがないことによりコスト上昇も抑えることが可能な構成を備えた表示装置およびパチンコ遊技機を提供することにある。
【課題を解決するための手段】
【０００９】
請求項１記載の発明は、複数の液晶パネルを並置して備えている表示装置において、前記複数の液晶パネルは、個々にあるいは隣り合うものと対応させて前後方向に移動可能に設けられていることを特徴としている。
【００１０】
請求項２記載の発明は、請求項１記載の表示装置において、前記液晶パネルは、並置方向中央に位置する液晶パネルが固定若しくは前後方向に往復動可能に設けられ、該中央に位置する液晶パネルと隣接する液晶パネルは往復動可能に設けられていることを特徴としている。
【００１１】
請求項３記載の発明は、請求項１または２記載の表示装置において、前記液晶パネルは、隣り合うもの同士の往復動作量が変更可能であることを特徴としている。
【００１２】
請求項４記載の発明は、請求項１乃至３のうちの一つに記載の表示装置をパチンコ遊技機に用いることを特徴としている。
【発明の効果】
【００１３】
請求項１および３記載の発明によれば、液晶パネルを個々にあるいは隣り合うものと対応させて前後方向に移動させることができるので、特別な視差を設定するための構成を用いなくても液晶面の奥行き感を得ることが可能となり、液晶面の立体視が可能となる。特に請求項３記載の発明においては、移動量が変更可能であるので、奥行き感を種々設定することにより立体感の印象を変化させることができる。
【００１４】
請求項２記載の発明によれば、液晶パネルのうちで並置方向中央に位置する液晶パネルを固定若しくは前後方向に往復動可能とし、これに隣接する液晶パネルを前後方向に往復動させることができるので、立体感の印象として中央が手前に迫るような印象や中央が深遠性を持つような印象などに変化させて視認性の変化を与えることが可能となる。
【００１５】
請求項４記載の発明によれば、表示部での表示状態に遠近感を持たせることができることにより液晶パネルのサイズの大型化や特別な表示設定のための構成を要することなく液晶パネル自体で立体視を可能にすることができる。
【発明を実施するための最良の形態】
【００１６】
以下、図示実施例により本発明を実施するための最良の形態について説明する。
【実施例】
【００１７】
図１は、本実施例による表示装置が適用されるパチンコ遊技機を示す図である。
図１においてパチンコ遊技機１００は、外郭方形枠サイズに形成されて縦長の固定保持枠を構成する外枠１の開口前面に、外枠１に合わせて方形枠サイズに形成された開閉搭載用の前枠２を備えている。
前枠２は、外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００１８】
遊技領域６には、略中央部に本実施例による表示装置が設置される窓部で構成された表示部６ａが設けられている。
表示部６ａの周りにはセンター飾り６ｂや始動入賞口６ｃおよび大入賞口６ｄなどがそれぞれ配置されている。遊技領域下部にはアウト球を回収するアウト口も設けられており、始動入賞口や大入賞口に入賞せずに落下したアウト球を遊技盤３の背面側から機外に排出できるようになっている。
【００１９】
また、前枠２の前面上部側には、遊技盤３を視認できるように透明なガラス盤を備えた前扉７が水平方向に開閉可能かつ着脱可能に設けられ、通常は、施錠装置４により閉鎖状態に保持されて遊技盤３の前面を覆っている。
前枠２の前面下部側で前扉７の下方には、球受け皿を構成している一体皿８が、前枠２に開閉支持されている背面板（図示されず）に取り付けられて設けてあり、一体皿８は、図示しない施錠装置により通常、閉鎖状態に保持されている。
一体皿８には、パチンコ球が存在する皿部だけではなく、皿部の正面右側下部に発射ハンドル９が、そして、正面左側下部に灰皿１０等が設けられている。
【００２０】
図２は、本実施例による表示装置の要部構成を示す図であり、同図において表示装置２００は、遊技盤３に設けてある表示窓で構成された表示部６ａから表面に突出することができる表示枠２０１および表示枠２０１に装着された複数の液晶パネル２０２とを主要部として備えている。
表示枠２０１は、遊技盤３の裏面に固定されて支持される部材であり、その表面部２０１Ａにおける下面内側が、図示しないが、パチンコ球を下方に導く傾斜面で構成された誘導路として用いられるようになっている。
表示枠２０１は表面部２０１Ａと裏面部２０１Ｂとを備え、これら各面部で構成されている閉空間内に液晶パネル２０２が装填されている。
【００２１】
図２に示した表示装置２００に用いられる液晶パネル２０２は、個々にあるいは並置方向中央に位置する液晶パネルを除いてこれに隣接する液晶パネル２０２が前後方向に往復動できるようになっており、そのための構成が図３に示されている。
【００２２】
図３は、一つの液晶パネルを対象とした往復動機構を説明するための図であり、同図において液晶パネル２０２は、表示枠２０１の下部に設けられた摺動ガイド部２０１Ａによって前後方向に摺動できるようになっている。
摺動ガイド部２０１Ａの下面には、並置方向に平行する液晶パネル２０２の幅方向一方側に嵌合部２０２Ａが、そして幅方向他方側にラック２０２Ｂがそれぞれ設けられている。
嵌合部２０２Ａは、摺動ガイド部２０１Ａに設けてあるレール２０１Ａ１に嵌合することができ、ラック２０２Ｂは摺動ガイド部２０１Ａの内部に設けられている駆動モータ（図示されず）の出力軸に取り付けられているピニオンギヤ２０３に噛み合うようになっている。
【００２３】
駆動モータは液晶パネル２０２の摺動位置制御が可能なステッピングモータが用いられ、ピニオン２０３の回転量を規定することによりこれに噛み合うラック２０１Ｂを介して液晶パネル２０２の摺動位置を設定できるようになっている。
液晶パネル２０２は、図３に示すように、ラック２０１Ｂの長手方向でほぼ中央位置においてピニオンギヤ２０３と噛み合う位置が初期位置として規定されており、この位置を基準として前後方向への移動が行われるようになっている。
【００２４】
本実施例では、並置方向中央に位置する液晶パネルを固定若しくは往復動できるようにすると共に、これに隣接する液晶パネルを前後方向に往復動させることができるようになっている。
図４は、本実施例の一態様を示す図であり、同図は並置方向中央に位置する液晶パネル２０２を初期位置（図４（Ａ）中、実線で示す位置）から前側に移動させ（図４（Ａ）中、二点鎖線で示す状態）、これに隣接する液晶パネル２０２を中央位置の液晶パネル２０２よりも奥側に移動させた状態（図４（Ａ）中、二点鎖線で示す状態）を示している。
このような液晶パネル同士の位置関係とすることにより、中央に位置する液晶パネルに隣接する液晶パネル自体が奥行きを持つことになり、いわゆる、並置方向中央とその両側との表示面との間で遠近感を持たせることにより中央位置の液晶パネルを基準とした場合に左右で奥行きのある表示面を構成することができ、全ての液晶パネルを合わせ見た場合に立体感を得ることができる。
【００２５】
液晶パネルの往復動は、その移動量の設定および移動対象となる液晶パネルの選択により図４に示したような中央位置を基準とした立体感だけではなく、中央位置の液晶に隣接する液晶パネルの一方側から順に奥行き感を持たせたりあるいは中央位置の液晶パネルをこれに隣接する液晶パネルよりも奥側に移動させて図４に示した場合と逆に中央位置が奥側に収斂するような表示状態をそれぞれ設定することができる。
以上説明した構成の他、液晶パネル２０２の移動手段は、ラック２０２Ｂとピニオンギヤ２０３と噛み合による構成に限らず、例えばラック２０２Ｂの配置される方向を軸線方向とするシリンダとピストンとを有する往復動機構としてもよい。この場合には、シリンダ又は、ピストンの一方が液晶パネル側に設けられ、他方が摺動ガイド部２０１Ａ側に固定される。この他、往復動機構としてリニアモータを用いてもよい。液晶パネル２０２及び摺動ガイド部２０１Ａの一方に可動子を、他方に固定子を固定する。
【図面の簡単な説明】
【００２６】
【図１】本発明実施例による表示装置が適用されるパチンコ遊技機の正面図である。
【図２】本発明実施例による表示装置の要部外観を示す斜視図である。
【図３】図２に示した表示装置における液晶パネルの駆動機構を説明するための図である。
【図４】図３に示した駆動機構による液晶パネル同士の表示状態を説明するための図であり、（Ａ）は、液晶パネルの平面視的な模式図、（Ｂ）は液晶パネル同士の表示状態をそれぞれ示している。
【符号の説明】
【００２７】
１００              パチンコ遊技機
６                  表示領域
６ａ                表示部
２００              表示装置
２０１              表示枠
２０１Ａ            摺動ガイド部
２０１Ａ１          レール
２０１Ｂ            ラック
２０２，２０２’    液晶パネル
２０３              ピニオンギヤ
【図１】
2006180941.tif 000003
【図２】
2006180941.tif 000004
【図３】
2006180941.tif 000005
【図４】
2006180941.tif 000006